(57)【要約】【課題】  簡易な構造とすることにより使用者の負担を軽くし、使用者の身動きによる荷重変化が生じても排泄物が横漏れすることがない排泄用装着具シール体及び排泄用装着具を実現する。【解決手段】  排泄用装着具シール体１４は、使用者の股間部に装着してこの股間部の肌面に当接する開口端部である側壁部を備えた排泄用容器１０の側壁部に設け、使用者の股間部の肌面に密着するシール面３１ａを有して長手方向に垂直な断面形状を中空形状に形成したシール本体３１と、このシール本体３１のシール面３１ａに設けて使用者の股間部の肌面に密着する、シール本体３１の長手方向に沿って突設したリブ状構造部３２と、を具備して排泄用容器１０と使用者の股間部との間を密閉するように構成されている。【選択図】図８
0003122883.tif 000002
【実用新案登録請求の範囲】
【請求項１】
使用者の股間部に装着してこの股間部の肌面に当接する開口端部を備えた排泄用容器の前記開口端部に設け、使用者の股間部の肌面に密着するシール面を有して長手方向に垂直な断面形状を中空形状、または襞形状に形成したシール本体と、
前記シール本体の前記シール面に設けて使用者の股間部の肌面に密着する、前記シール本体の長手方向に沿って突設したリブ状構造部と、
を具備して前記排泄用容器と使用者の股間部との間を密閉することを特徴とする排泄用装着具シール体。
【請求項２】
前記シール本体は、前記長手方向に垂直な断面形状をＤ型形状、またはＣ型形状に形成したことを特徴とする請求項１に記載の排泄用装着具シール体。
【請求項３】
前記排泄用容器が吸引されて生じる負圧により、前記シール本体の前記シール面及び前記リブ状構造部が使用者の股間部の肌面に密着して前記排泄用容器と使用者の股間部との間を密閉することを特徴とする請求項１または２に記載の排泄用装着具シール体。
【請求項４】
前記シール本体は、前記長手方向に垂直な断面形状を前記排泄用容器の外側へ向かって薄肉に形成し、この排泄用容器の外側から受ける力を弾性力により分散して吸収することを特徴とする請求項１〜３のいずれか一つに記載の排泄用装着具シール体。
【請求項５】
前記排泄用容器と使用者の股間部との間で形成される空間内が加圧状態となるとき、この空間の内圧により前記シール本体が弾性的に変形してこのシール本体の前記シール面及び前記リブ状構造部と使用者の股間部の肌面との間に隙間を生じることを特徴とする請求項１〜４のいずれか一つに記載の排泄用装着具シール体。
【請求項６】
排泄物吸込口を有し、使用者の股間部に装着してこの股間部の肌面に当接する開口端部を備えた排泄用容器と、
前記排泄用容器の開口端部に設け、使用者の股間部の肌面に密着するシール面を有して長手方向に垂直な断面形状を中空形状、または襞形状に形成したシール本体、及びこのシ−ル本体の前記シール面に設けて使用者の股間部の肌面に密着する、前記シール本体の長手方向に沿って突設したリブ状構造部を備えて前記排泄用容器と使用者の股間部との間を密閉する排泄用装着具シール体と、
を具備したことを特徴とする排泄用装着具。
【請求項７】
前記シール本体は、前記長手方向に垂直な断面形状をＤ型形状、またはＣ型形状に形成したことを特徴とする請求項６に記載の排泄用装着具。
【請求項８】
前記排泄用容器が前記排泄物吸込口から吸引されて生じる負圧により、前記シール本体の前記シール面及び前記リブ状構造部が使用者の股間部の肌面に密着して前記排泄用容器と使用者の股間部との間を密閉することを特徴とする請求項６または７に記載の排泄用装着具。
【請求項９】
前記シール本体は、前記長手方向に垂直な断面形状を前記排泄用容器の外側へ向かって薄肉に形成し、この排泄用容器の外側から受ける力を弾性力により分散して吸収することを特徴とする請求項６〜８のいずれか一つに記載の排泄用装着具。
【請求項１０】
前記排泄用容器と使用者の股間部との間で形成される空間内が加圧状態となるとき、この空間の内圧により前記シール本体が弾性的に変形してこのシール本体の前記シール面及び前記リブ状構造部と使用者の股間部の肌面との間に隙間を生じることを特徴とする請求項６〜９のいずれか一つに記載の排泄用装着具。
【請求項１１】
前記排泄用容器は、男性陰部を保護する男性陰部収納部を設けると共に、使用者の腰部に固定する固定部を設けてこの固定部と前記男性陰部収納部とを伸縮自在な連結部により着脱自在に連結することを特徴とする請求項６に記載の排泄用装着具。
【請求項１２】
前記固定部は、前記排泄用容器に固定する固定部本体と、この固定部本体に着脱自在に設ける、使用者の体型に応じた腰マット部とを有し、この腰マット部に設けたベルト部に前記連結部を着脱自在に取り付けることを特徴とする請求項６に記載の排泄用装着具。
【請求項１３】
前記固定部本体は、使用者の腰部の体荷重を分散するための体荷重分散マット部を背面
側に設けたことを特徴とする請求項１２に記載の排泄用装着具。
【考案の詳細な説明】
【技術分野】
【０００１】
本考案は、特に病人、幼児等が着用したままの状態で排泄物を排出処理可能な排泄処理
装置に用いられる排泄用装着具シール体及び排泄用装着具に関する。
【背景技術】
【０００２】
従来、排泄処理装置は、種々考案されている。この排泄処理装置は、病人、幼児等が排
泄用装着具を着用したままの状態で排泄物を排出処理することができる。
【０００３】
このような排泄処理装置に用いられる排泄用装着具は、例えば実公平７−１５５３７号公報に記載されている。前記公報に記載の排泄用装着具は、使用者の股間部に装着される排泄用容器に排泄物吸込口を有し、この排泄物吸込口から吸引して排泄物の排出を行うことができる。
【０００４】
前記公報に記載の排泄用装着具は、圧縮空気により膨張可能に形成された排泄用装着具シール体が前記排泄用容器の外面に設けられている。このため、前記公報に記載の排泄用装着具は、前記排泄用装着具シール体を圧縮空気により膨張することでこの排泄用装着具シール体が肌に密着して排泄用容器との間を密閉し、排泄物が漏れることなく前記排泄物吸込口から排泄物を排出することができる。
【特許文献１】実公平７−１５５３７号公報
【考案の開示】
【考案が解決しようとする課題】
【０００５】
しかしながら、実公平７−１５５３７号公報に記載の排泄用装着具は、排泄用容器の外面に設けられている排泄用装着具シール体を圧縮空気により膨張するために、この排泄用装着具シール体に圧縮空気を供給する機構を必要とし、その分排泄用容器の構造が複雑になると共に、使用者の負担が大きくなる。
【０００６】
また、前記公報に記載の排泄用装着具は、前記排泄用装着具シール体に前記排泄用容器の装着荷重がかかっているが、使用者が身動きすると、この排泄用装着具シール体に前記装着荷重の他に局所的に体荷重が加わる荷重変化が生じてしまう。このため、前記公報に記載の排泄用装着具は、前記荷重変化によって前記排泄用装着具シール体が変形してしまい、この排泄用装着具シール体のシール面に隙間が生じて排泄物が横漏れしてしまう虞れが生じる。
【０００７】
本考案は、上述した点に鑑みてなされたもので、簡易な構造とすることにより使用者の負担を軽くし、使用者の身動きによる荷重変化が生じても排泄物が横漏れすることがない排泄用装着具シール体及び排泄用装着具を提供することを目的とする。
【課題を解決するための手段】
【０００８】
前記課題を解決するために本考案の一態様による排泄用装着具シール体は、使用者の股間部に装着してこの股間部の肌面に当接する開口端部を備えた排泄用容器の前記開口端部に設け、使用者の股間部の肌面に密着するシール面を有して長手方向に垂直な断面形状を中空形状、または襞形状に形成したシール本体と、前記シール本体の前記シール面に設けて使用者の股間部の肌面に密着する、前記シール本体の長手方向に沿って突設したリブ状構造部と、を具備して前記排泄用容器と使用者の股間部との間を密閉することを特徴としている。
【０００９】
また、本考案の一態様による排泄用装着具は、排泄物吸込口を有し、使用者の股間部に装着してこの股間部の肌面に当接する開口端部を備えた排泄用容器と、前記排泄用容器の開口端部に設け、使用者の股間部の肌面に密着するシール面を有して長手方向に垂直な断面形状を中空形状、または襞形状に形成したシール本体、及びこのシール本体の前記シール面に設けて使用者の股間部の肌面に密着する、前記シール本体の長手方向に沿って突設したリブ状構造部を備えて前記排泄用容器と使用者の股間部との間を密閉する排泄用装着具シール体と、を具備している。
【考案の効果】
【００１０】
本考案の排泄用装着具シール体及び排泄用装着具は、簡易な構造とすることにより使用者の負担を軽くし、使用者の身動きによる荷重変化が生じても排泄物が横漏れすることがないという効果を有する。
【考案を実施するための最良の形態】
【００１１】
以下、図面を参照して本考案の一実施例を説明する。
【実施例１】
【００１２】
図１ないし図１１は本考案の実施例１に係り、図１は実施例１の排泄用装着具を示す斜視図、図２は図１の排泄用装着具を装着した使用者の腰部付近を示す概略図、図３は図２の排泄用装着具を装着した使用者の股間部及び腰部付近を示す正面図、図４は図２の排泄用装着具を装着した使用者の股間部付近を示す概略図、図５は図２の排泄用装着具を装着した使用者の股間部付近を示す断面図、図６は図２の排泄用装着具を装着した使用者の股間部付近を示す斜視断面図、図７は図２のセンサ付近の拡大斜視図、図８は図２の排泄用装着具シール体及び排泄用容器を示す斜視図、図９は図８の排泄用装着具シール体及び排泄用容器の側壁部端部を示す拡大斜視図、図１０は変形例の排泄用装着具シール体を示す斜視図、図１１は変形例の男性陰部収納部を示す斜視図である。
【００１３】
図１乃至図６に示すように、実施例１の排泄用装着具１は、使用者２の股間部２ａに装着してこの股間部２ａに開口する排泄用容器１０を備えている。なお、前記排泄用装着具１は、図示しない排泄物排出装置及び制御装置に接続されて排泄処理装置を構成している。前記制御装置は、使用者２の排泄を検知したとき、前記排泄物排出装置を動作させて前記排泄用装着具１の後述する排泄物吸込口２１から排泄物の排出を行うように制御する。
【００１４】
前記排泄用容器１０は、尻部側に配置される主壁部１１と、この主壁部１１から略垂直に延出して股間部２ａ側に配置される副壁部１２とをＬ字形状に交差して一体化している。
【００１５】
これら主壁部１１と副壁部１２との内面側の両側線には、股形状に沿って使用者２の股間部２ａの肌面に当接する開口端部である側壁部１３が一体に形成されている。なお、前記側壁部１３は、馬蹄形状に形成されている。この側壁部１３には、前記排泄用容器１０を使用者２の股間部２ａに装着したとき、この股間部２ａの肌と密着するための柔軟な排泄用装着具シール体１４が設けられている。
【００１６】
また、前記排泄用容器１０は、前記副壁部１２に男性陰部収納部１５の基端部を嵌合突起部１０ａ（図８参照）に嵌合して取り付けると共に、前記主壁部１１に使用者２の腰部２ｂ（腰骨）に固定する固定部１６を接着して取り付けている。
【００１７】
なお、前記男性陰部収納部１５は、前記排泄用容器１０の前記嵌合突起部１０ａに基端部が嵌合された後、シール面の端部を前記シール本体３１の端部に接着固定して取り付けられている。これにより、前記排泄用装着具１は、前記排泄用容器１０から前記男性陰部収納部１５までのシール性を確保できるようになっている。
【００１８】
前記固定部１６は、前記排泄用容器１０に接着固定する固定部本体１６ａと、この固定部本体１６ａに着脱自在に取り付ける例えばウレタン素材等により形成された弾力性を有する腰マット部１６ｂとを有している。
【００１９】
これら腰マット部１６ｂと固定部本体１６ａとは、被結合部材である面ファスナ（不図示）がそれぞれ貼付されており、前記固定部本体１６ａに前記腰マット部１６ｂを着脱自在に結合可能である。なお、前記腰マット部１６ｂは、使用者２の体型に応じて選択して取り付け可能である。
【００２０】
前記固定部本体１６ａの背面側には、弾力性を有する材質で形成された体荷重分散マット部１６ｃが設けられている（図５参照）。この体荷重分散マット部１６ｃは、中空の円柱体等が複数配置されており、体荷重を分散するように構成されている。前記中空の円柱体は、前記体荷重分散マット部１６ｃの基端側中心部から周縁に向かって高さが徐々に低くなるように配置されている。また、前記中空の円柱体自身も底面である開口端部が前記体荷重分散マット部１６ｃの基端側中心部から周縁に向かって高さが低くなるような斜め輪切り状に形成されている。このように構成されている体荷重分散マット部１６ｃにより、前記排泄用容器１０は、使用者２の腰部２ｂの体荷重を分散されることで、腰部２ｂの鬱血を和らげることができる。
【００２１】
前記腰マット部１６ｂには、使用者２の腰部２ｂに前記排泄用装着具１を装着可能なベルト部１７が縫い付けられて左右に延出している。このベルト部１７の両端部には、前記面ファスナが添付されており、互いの端部を着脱自在に結合することによって使用者２の腰部２ｂに前記排泄用装着具１を装着可能である。
【００２２】
また、前記ベルト部１７には、前記男性陰部収納部１５と連結する連結部１８の一端が着脱自在に取り付けられる。前記連結部１８は、使用者２の体型に応じた長さを有して伸縮自在である。この連結部１８は、使用者２の体型に応じて長さを調節可能な、公知のベルトであってもよい。前記連結部１８の他端は、前記男性陰部収納部１５に着脱自在に取り付け可能である。
【００２３】
なお、通常、この連結部１８は、一端が前記男性陰部収納部１５に取り付けられており、前記排泄用装着具１の装着時、他端を前記ベルト部１７に取り付けることでこのベルト部１７と前記男性陰部収納部１５とを連結してこの男性陰部収納部１５と前記固定部１６とを連結する。
【００２４】
次に前記排泄用容器１０の詳細構成を説明する。
【００２５】
前記排泄用容器１０は、前記主壁部１１内端部の中央（肛門側）に排泄物吸込口２１が形成されていると共に、他端部側は前記排泄物吸込口２１に向って傾斜している。また、前記排泄用容器１０には、前記排泄物吸込口２１に連通する接続管路２２が前記主壁部１１の外端面に突出して設けられている。前記接続管路２２には、図示しない接続ホースを介して排泄物排出装置（不図示）に着脱自在に接続される。
【００２６】
さらに、前記排泄用容器１０には、前記主壁部１１内面の前記排泄物吸込口２１側に排泄物を検知するセンサ２３が設けられている。このセンサ２３は、前記排泄用容器１０の壁内部に配設される図示しない信号線によって前記主壁部１１の外端面に設けた電気コネクタ２４に導通している。前記センサ２３は、例えば尿を検知する尿検知センサである。
【００２７】
図７に示すようにこのセンサ２３は、例えば４点の電極２３ａ，２３ｂにより形成されている。前記センサ２３は、中央に位置する＋電極２３ａと、この＋電極２３ａを囲む３点の−電極２３ｂとによる通電で、尿を検知する構成となっている。これら４点の電極２３ａ，２３ｂは、微小量の尿では動作しないよう突出して形成されている。
【００２８】
前記電気コネクタ２４には、図示しない電気ケーブルを介して前記制御装置に着脱自在に接続される。この制御装置は、前記センサ２３により排泄を検知した後、予め定められたプログラムに従い前記排泄物排出装置を制御駆動して排泄物を自動的に排出処理する。
【００２９】
前記排泄物排出装置は、前記制御装置の制御にしたがって内蔵する吸引ポンプの駆動により吸引動作を行い、前記排泄物吸込口２１から排泄物を吸引して内部に設けた排泄タンクヘ排出する。
【００３０】
上述したように前記排泄用容器１０は、使用者２の股間部２ａに装着してこの股間部２ａの肌面に当接する開口端部である側壁部１３に柔軟な排泄用装着具シール体１４が設けられている。前記排泄用容器１０は、この排泄用装着具シール体１４が股間部２ａの肌面に密着することによりこの股間部２ａと排泄用容器１０との間を密閉し、前記排泄物吸込口２１から排泄物を排出するようになっている。
【００３１】
前記排泄用装着具１は、前記排泄用装着具シール体１４に前記排泄用容器１０の装着荷重がかかっているが、使用者２が身動きしてしまうと、この排泄用装着具シール体１４に前記装着荷重の他に局所的に体荷重が加わる荷重変化が生じる虞れがある。
【００３２】
本実施例では、装着荷重に局所的に体荷重が加わる荷重変化が生じても排泄物が横漏れすることがないように前記排泄用装着具シール体１４を構成している。
【００３３】
前記排泄用装着具シール体１４は、前記排泄用容器１０と使用者２の股間部２ａとの間を密閉するように構成されている。具体的に説明すると、図８及び図９に示すように前記排泄用装着具シール体１４は、前記排泄用容器１０の開口端部である前記側壁部１３に設けて使用者２の股間部２ａの肌面に密着するシール面３１ａを有し、前記排泄用容器１０と略同様に馬蹄形状に形成されているシール本体３１と、このシール本体３１のシール面３１ａに設けて使用者２の股間部２ａの肌面に密着する、前記シール本体３１の長手方向に沿って馬蹄形状に突設したリブ状構造部３２とを備えて構成されている。
【００３４】
前記シール本体３１は、前記排泄用容器１０の前記側壁部１３に嵌合するコの字型嵌合部３３を有している。前記排泄用装着具シール体１４は、前記コの字型嵌合部３３を前記排泄用容器１０の前記側壁部１３に嵌合することにより、前記排泄用容器１０に固定できる。
【００３５】
これにより、前記排泄用装着具シール体１４は、前記排泄物吸込口２１から吸引しているとき、浮き上がりを防止することができる。また、前記排泄用装着具シール体１４は、前記コの宇型嵌合部３３を前記排泄用容器１０の前記側壁部１３に嵌合するのみで前記排泄用容器１０に固定できるので、前記排泄用容器１０に取り付ける際に作業性が向上する。
【００３６】
また、前記シール本体３１は、長手方向に垂直な断面形状を中空形状、例えばＤ型形状に形成されている。これにより、前記シール本体３１は、前記排泄物吸込口２１から吸引されることにより前記排泄用容器１０と使用者２の股間部２ａとの間で形成される空間内に負圧が生じ、前記排泄用容器１０の内側へ吸引されて使用者２の股間部２ａの肌面に前記シール面３１ａが密着するようになっている。
【００３７】
したがって、前記排泄用装着具シール体１４は、前記排泄物吸込口２１から吸引されることにより生じる負圧によって前記シール本体３１のシール面３１ａが使用者２の股間部２ａの肌面に密着すると共に、このシール面３１ａと一体的に前記リブ状構造部３２が使用者２の股間部２ａの肌面に密着して前記排泄用容器１０と使用者２の股間部２ａとの間を密閉する。
【００３８】
また、前記シール本体３１は、前記長手方向に垂直な断面形状が前記排泄用容器１０の外側へ向かって薄肉に形成されている。これにより、前記シール本体３１は、前記排泄用容器１０の外側から受ける力（装着荷重に局所的に加わる体荷重）、例えば、矢印４１方向からの力、矢印４２方向からの圧力を弾性力により緩やかに分散させて吸収できる。
【００３９】
したがって、前記排泄用装着具シール体１４は、使用者２の身動きによる荷重変化を前記シール本体３１が緩やかに吸収できるので、このシール本体３１のシール面３１ａ及び前記リブ状構造部３２が使用者２の股間部２ａの肌面に密着したままとなり、排泄物が横漏れすることがない。
【００４０】
なお、前記排泄用装着具シール体１４は、肌に密着させるので生体親和性を考慮した材質であるシリコーン、エラストマ等の樹脂押出しにより前記シール本体３１と前記リブ状構造部３２とが一体成型で形成されるようになっている。また、前記排泄用装着具シール体１４は、硬度２０〜６０度（シェア硬度）の素材により形成されている。
【００４１】
なお、前記排泄用装着具シール体１４は、前記排泄用容器１０と使用者２の股間部２ａ
との間で形成される空間内が股間部２ａの温度上昇や蒸れによって加圧状態となったとき、弁のように空間内を開放する。つまり、この排泄用装着具シール体１４は、前記空間内の内圧により前記シール本体３１が弾性的に変形して隙間が生じ、空間内の気体を外部へ放出するようになっている。なお、前記排泄用装着具シール体１４は、上述したように排泄時には前記排泄物吸込口２１から吸引しているので、前記排泄用容器１０と使用者２の股間部２ａとの間で形成される空間内が加圧状態となることがなく、前記シール本体３１が弾性的に変形することがない。
【００４２】
このように構成される排泄用装着具１の作用を説明する。  
前記排泄用装着具１は、使用者２の体型に応じた腰マット部１６ｂが固定部本体１６ａに取り付けられる。前記排泄用装着具１は、使用者２の股間部２ａに装着される。このとき、使用者２は、図示しないベットに寝ており、看護師等により前記排泄用装着具１を装着されるものとする。また、使用者２は、男性であるとする。
【００４３】
前記排泄用装着具１は、前記排泄用容器１０が使用者２の股間部２ａに配置され、前記固定部１６が使用者２の腰部２ｂに配置され、さらに男性陰部収納部１５が男性陰部に配置される。なお、女性の場合もほぼ同様である。
【００４４】
前記排泄用装着具１は、前記ベルト部１７が閉じられ、このベルト部１７に前記連結部１８の他端が取り付けられることにより、使用者２の股間部２ａに装着される。
【００４５】
前記排泄用容器１０の前記主壁部１１は尻部側に、前記副壁部１２は股間部２ａ側に位置される。また、この排泄用容器１０に設けられている前記排泄用装着具シール体１４は、前記リブ状構造部３２が前記シール本体３１と一体的に使用者２の股間部２ａの肌面に密着する。上述したように前記排泄用装着具シール体１４は、硬度２０〜６０度の柔らかさにより、股間部２ａの内側の太もも２ｃ（図４参照）との密着度を高めることができ、股間部２ａが鬱血することがない。また、前記固定部１６は、前記腰マット部１６ｂが使用者２の腰部２ｂに当接されると共に、前記固定部本体１６ａの前記体荷重分散マット部１６ｃが図示しないベットに当接する。上述したように、前記固定部１６は、前記体荷重分散マット部１６ｃが使用者２の腰部２ｂの体荷重を分散するので、この腰部２ｂの鬱血を和らげることができる。
【００４６】
次に前記排泄用装着具１は、前記接続管路２２に接続ホースが接続され、この接続ホースを介して排泄物排出装置に接続される。また、前記排泄用装着具１は、前記電気コネクク２４に電気ケーブルのコネクタが接続され、この電気ケーブルを介して制御装置に接続される。これにより、前記排泄用装着具１は、前記排泄物排出装置及び前記制御装置とにより排泄処理装置を構成し、準備が完了する。
【００４７】
以降、前記排泄用装着具１は、前記センサ２３により排泄が検知されると前記制御装置の制御に従い排泄物の排出が行われて、排泄物を自動的に排出処理する。
【００４８】
前記排泄用装着具１は、使用者２が排泄すると前記センサ２３が排泄を検知する。このセンサ２３の検知信号は、電気ケーブルを介して前記制御装置へ送信される。前記制御装置は、前記センサ２３の検知信号を受信すると、前記排泄物排出装置を制御駆動して排泄物を排出処理する。
【００４９】
前記排泄物排出装置は、前記吸引ポンプを駆動させて吸引を開始する。  
前記排泄用装着具１は、前記ホース及び前記接続管路２２を介して前記排泄物吸込口２１から前記排泄物排出装置による吸引が行われる。吸引された排泄物は、前記ホース及び前記接続管路２２を介して前記排泄物排出装置内部に設けた排泄タンクヘ排出される。
【００５０】
前記排泄用装着具１は、前記排泄物吸込口２１から吸引されると、前記排泄用装着具シール体１４のシール本体３１が前記排泄用容器１０の内側へ吸引されて使用者２の股間部２ａの肌面にシール面３１ａが密着すると共に、前記リブ状構造部３２が使用者２の股間部２ａの肌面に密着し、前記排泄用容器１０と使用者２の股間部２ａとの間を密閉する。
【００５１】
このとき、前記排泄用装着具１は、使用者２が身動きすると、装着荷重に局所的に加わる体荷重が前記排泄用装着具シール体１４にかかる。前記排泄用装着具シール体１４は、上述したように使用者２の身動きによる荷重変化を前記シール本体３１が緩やかに吸収できるので、このシール本体３１のシール面３１ａ及び前記リブ状構造部３２が使用者２の股間部２ａの肌面に密着したままとなり、排泄物が横漏れすることがない。
【００５２】
また、前記排泄用装着具１は、排泄時以外において、前記排泄用容器１０と使用者２の股間部２ａとの間で形成される空間内が股間部２ａの温度上昇や蒸れによって加圧状態となったとき、上述したように前記空間内の内圧により前記排泄用装着具シール体１４が弾性的に変形して隙間が生じ、気体を外部へ放出する。これにより、前記排泄用装着具１は、排泄時以外において、股間部２ａの温度上昇や蒸れによる加圧状態が解消できるので、使用者２の不快感を軽くすることができる。
【００５３】
この結果、本実施例の排泄用装着具１は、排泄用容器１０を簡易な構造とすることにより使用者２の負担を軽くでき、使用者２の身動きによる荷重変化が生じても排泄物が横漏れすることがない。
【００５４】
なお、前記実施例１は、前記シール本体３１を中空形状に形成した排泄用装着具シール体１４を用いて構成しているが、図１０に示すようにシール本体を襞形状に形成した排泄用装着具シール体を用いて構成してもよい。
【００５５】
図１０に示すように、排泄用装着具シール体１４Ｂは、長手方向に垂直な断面形状を襞形状、例えばＣ型形状に形成したシール本体３１Ｂを有して構成されている。
【００５６】
これにより、前記シール本体３１Ｂは、前記排泄物吸込口２１から吸引されることにより前記排泄用容器１０と使用者２の股間部２ａとの間で形成される空間内に負圧が生じ、前記排泄用容器１０の内側へ吸引されて使用者２の股間部２ａの肌面にシール面３１ａが密着するようになっている。
【００５７】
したがって、前記排泄用装着具シール体１４Ｂは、前記排泄物吸込口２１から吸引されることにより生じる負圧によって前記シール本体３１Ｂのシール面３１ａが使用者２の股間部２ａの肌面に密着すると共に、このシール面３１ａと一体的に前記リブ状構造部３２が使用者２の股間部２ａの肌面に密着して前記排泄用容器１０と使用者２の股間部２ａとの間を密閉する。
【００５８】
また、前記シール本体３１Ｂは、前記シール本体３１と同様に前記長手方向に垂直な断面形状が前記排泄用容器１０の外側へ向かって薄肉に形成されており、この排泄用容器１０の外側から受ける力を弾性力により緩やかに分散させて吸収できる。
【００５９】
したがって、前記排泄用装着具シール体１４Ｂは、使用者２の身動きによる荷重変化を前記シール本体３１Ｂが緩やかに吸収できるので、このシール本体３１Ｂのシール面３１ａ及び前記リブ状構造部３２が使用者２の股間部２ａの肌面に密着したままとなり、排泄物が横漏れすることがない。それ以外の構成は、前記実施例１と同様である。
【００６０】
この結果、前記排泄用装着具シール体１４Ｂは、前記排泄用容器１０の側壁部１３に設けられて構成することにより、前記実施例１と同様な効果を得ることができる。
【００６１】
なお、前記男性陰部収納部１５は、図１１に示すように蛇腹状に形成してもよい。
【００６２】
図１１に示すように前記男性陰部収納部１５Ｂは、蛇腹状に形成されている。これにより、前記男性陰部収納部１５Ｂは、使用者２の体型に応じて男性陰部を収納できるので使用者２の負担を軽くすることができる。
【００６３】
なお、本実施例では、排泄時に吸引する機能のみ有する排泄用装着具１に本考案を適用して構成しているが、本考案はこれに限定されず、前記排泄用容器１０に空気、液体等の流体の供給を行うための複数の通路を内部に形成すると共に、これらの通路に前記排泄物排出装置から前記流体を供給して前記排泄用容器１０内を洗滌する構成に本考案を適用してもよい。
【００６４】
この場合、排泄処理装置は、流体として温水または洗滌液を含んだ温水、温風等を用い、使用者２の排泄後、前記制御装置の制御により、前記排泄物排出装置から前記流体が前記排泄用容器１０に供給されてこの排泄用容器１０内を洗浄すると共に、前記吸引動作も行う。
【００６５】
なお、上述した実施例を部分的に組み合わせる等して構成される実施例等も本考案に属する。
【産業上の利用可能性】
【００６６】
本考案の排泄用装着具シール体及び排泄用装着具は、簡易な構造とすることにより使用者の負担を軽くし、使用者の身動きによる荷重変化が生じても排泄物が横漏れすることがないので、病人、幼児等が着用したままの状態で排泄物を排出処理可能な排泄処理装置に適している。
【図面の簡単な説明】
【００６７】
【図１】実施例１の排泄用装着具を示す斜視図である。
【図２】図１の排泄用装着具を装着した使用者の腰部付近を示す概略図である。
【図３】図２の排泄用装着具を装着した使用者の股間部及び腰部付近を示す正面図である。
【図４】図２の排泄用装着具を装着した使用者の股間部付近を示す概略図である。
【図５】図２の排泄用装着具を装着した使用者の股間部付近を示す断面図である。
【図６】図２の排泄用装着具を装着した使用者の股間部付近を示す斜視断面図である。
【図７】図２のセンサ付近の拡大斜視図である。
【図８】図２の排泄用装着具シール体及び排泄用容器を示す斜視図である。
【図９】図８の排泄用装着具シール体及び排泄用容器の側壁部端部を示す拡大斜視図である。
【図１０】変形例の排泄用装着具シール体を示す斜視図である。
【図１１】変形例の男性陰部収納部を示す斜視図である。
【符号の説明】
【００６８】
１  排泄用装着具
２  使用者
２ａ  股間部
２ｂ  腰部
１０  排泄用容器
１１  主壁部
１２  副壁部
１４  側壁部
１５  男性陰部収納部
１６  固定部
２１  排泄物吸込口
２２  接続管路
２３  センサ
３１  シール本体
３１ａ  シール面
３２  リブ状構造部
３３  コの字型嵌合部
【図１】
0003122883.tif 000003
【図２】
0003122883.tif 000004
【図３】
0003122883.tif 000005
【図４】
0003122883.tif 000006
【図５】
0003122883.tif 000007
【図６】
0003122883.tif 000008
【図７】
0003122883.tif 000009
【図８】
0003122883.tif 000010
【図９】
0003122883.tif 000011
【図１０】
0003122883.tif 000012
【図１１】
0003122883.tif 000013